(57)【要約】【課題】鍋物調理を行うときに具材や出汁などの投入後に使用者の指示により所定時間の間火力を上昇できる加熱調理器を提供すること。【解決手段】制御部は加熱モード時に追加熱キーを操作すると所定時間だけ火力を高く変化させ、所定時間経過後は追加熱キーを操作する前の火力に戻るように加熱手段を制御する追加熱モードに移行するようにしたことにより、具材や出汁などの投入のタイミングにて所定時間の火力の上昇を使用者が簡単に指示することができる。【選択図】図１
2008140676.tif 000002
【特許請求の範囲】
【請求項１】
調理物を入れる鍋と、鍋を加熱する加熱手段と、使用者が操作し火力固定制御の加熱モードを開始する加熱キーと、加熱モードの火力を変更する火力キーと、使用者が操作する追加熱キーと、加熱手段を制御する制御部とを備え、前記制御部は加熱モード時に追加熱キーを操作すると所定時間だけ火力を高く変化させ、所定時間経過後は追加熱キーを操作する前の火力に戻るように加熱手段を制御する追加熱モードに移行するようにした加熱調理器。
【請求項２】
制御部は、加熱モード時に追加熱キーを複数回操作すると追加熱モードの継続時間を増加させるようにした請求項１に記載の加熱調理器。
【請求項３】
制御部は、追加熱モード時に追加熱キーを操作すると最後に追加熱キーを操作した時点を基点として追加熱モードの継続時間を増加させるようにした請求項２に記載の加熱調理器。
【請求項４】
追加熱モードを取り消して追加熱キーを操作する前の火力に戻す取消キーを備えた請求項１〜３のいずれか１項に記載の加熱調理器。
【請求項５】
制御部は、追加熱モード時に火力キーを操作すると、追加熱モードの火力を変更できるようにした請求項１〜４のいずれか１項に記載の加熱調理器。
【請求項６】
制御部は、追加熱モードの終了時点での火力が追加熱モード開始直前の火力よりも低いときは追加熱モード終了後の火力を追加熱モードの終了時点の火力とするようにした請求項５に記載の加熱調理器。
【請求項７】
制御部は、追加熱モード時の火力が追加熱モード開始直前の火力よりも低くなったときは追加熱モードを強制的に終了するようにした請求項５に記載の加熱調理器。
【請求項８】
制御部は、追加熱モード中に火力キーを操作したときは追加熱モードを強制的に終了するようにした請求項１〜４のいずれか１項に記載の加熱調理器。
【請求項９】
鍋の温度を検知する温度検知手段を備え、制御部は、追加熱モード中に温度検知手段により検知した温度が所定の温度を超えたときは追加熱モードを強制的に終了するようにした請求項１〜８のいずれか１項に記載の加熱調理器。
【請求項１０】
制御部は、加熱モードの火力が所定の火力以上のときには追加熱キーを受け付けないようにした請求項１〜９のいずれか１項に記載の加熱調理器。
【発明の詳細な説明】
【技術分野】
【０００１】
本発明は、卓上での鍋物調理用などとして用いる加熱調理器に関するものである。
【背景技術】
【０００２】
従来、この種の加熱調理器は、例えば、鍋などの被加熱物を載置するトッププレートの下部に加熱手段と、前記トッププレートに接するように前記被加熱物を加熱制御する温度検知手段を備え、鍋の種類や調理メニュー毎に専用のキーを設けて調理開始時に該当のキーを操作すると所定の制御シーケンスにて加熱制御を行うものがあった（例えば、特許文献１参照）。
【０００３】
これは、図３に示すように、被加熱物としての調理物を入れる鍋２１をトッププレート２２に載置し、加熱手段２３により鍋２１をトッププレート２２越しに加熱する。温度検知手段２４は鍋２１の底面の温度をトッププレート２２越しに測定し、制御部２５は温度検知手段２４で測定した温度に応じて加熱手段２３を制御する。使用者は鍋物調理を行うときには、鍋物キー２６を操作して加熱調理器へ鍋物調理開始指示を制御部２５へ伝え、制御部２５は予め制御部２５に入力しておいた温度を３３０℃前後としこの温度異常にて加熱手段２３を自動停止するよう構成し、保温調理を行うときには保温キー２７を操作して加熱調理器へ保温調理開始指示を制御部２５へ伝え、制御部２５は予め制御部に入力しておいた温度を８０℃前後とし設定温度以上にて加熱手段のパワーをＯＦＦし設定温度未満にて自動的にパワーＯＮする制御を行うようにしている。
【特許文献１】特開平１１−１０１４４５号公報
【発明の開示】
【発明が解決しようとする課題】
【０００４】
しかしながら、前記従来の構成では、自動調理が行えるが、鍋物を家庭の卓上で行うときには具材や出汁などの投入による火力の調節を使用者が行えないという課題を有していた。
【０００５】
本発明は、前記従来の課題を解決するもので、鍋物調理を卓上にて行うときに具材や出汁などの投入のタイミングにて火力の上昇を使用者が指示できる加熱調理器を提供することを目的とする。
【課題を解決するための手段】
【０００６】
前記従来の課題を解決するために、本発明の加熱調理器は、調理物を入れる鍋と、鍋を加熱する加熱手段と、使用者が操作し火力固定制御の加熱モードを開始する加熱キーと、加熱モードの火力を変更する火力キーと、使用者が操作する追加熱キーと、加熱手段を制御する制御部とを備え、前記制御部は加熱モード時に追加熱キーを操作すると所定時間だけ火力を高く変化させ、所定時間経過後は追加熱キーを操作する前の火力に戻るように加熱手段を制御する追加熱モードに移行するようにしたものである。
【０００７】
これによって、追加熱キーの操作により、具材や出汁などの投入のタイミングにて所定時間の火力の上昇を使用者が簡単に指示することができる。
【発明の効果】
【０００８】
本発明の加熱調理器は、鍋物調理の具材や出汁などの投入後に使用者の指示により所定時間の間火力を上昇することができる。
【発明を実施するための最良の形態】
【０００９】
第１の発明は、調理物を入れる鍋と、鍋を加熱する加熱手段と、使用者が操作し火力固定制御の加熱モードを開始する加熱キーと、加熱モードの火力を変更する火力キーと、使用者が操作する追加熱キーと、加熱手段を制御する制御部とを備え、前記制御部は加熱モード時に追加熱キーを操作すると所定時間だけ火力を高く変化させ、所定時間経過後は追加熱キーを操作する前の火力に戻るように加熱手段を制御する追加熱モードに移行するようにした加熱調理器とすることにより、追加熱キーの操作により、鍋物調理の具材や出汁の追加後に所定時間の間火力の上昇を使用者の判断により行うことができる。
【００１０】
第２の発明は、特に、第１の発明において、制御部は、加熱モード時に追加熱キーを複数回操作すると追加熱モードの継続時間を増加させるようにしたことにより、鍋物調理の具材や出汁の追加タイミングにて火力を上昇させる継続時間を使用者の判断により決定できる加熱調理器を実現することができる。
【００１１】
第３の発明は、特に、第２の発明において、制御部は、追加熱モード時に追加熱キーを操作すると最後に追加熱キーを操作した時点を基点として追加熱モードの継続時間を増加させるようにしたことにより、使用者が設定した追加熱モードの継続時間が足りないと判断したときにその時点からの継続時間の再設定ができ、調理物の様子を見ながらの調整が可能な加熱調理器を実現することができる。
【００１２】
第４の発明は、特に、第１〜第３のいずれか１つの発明において、追加熱モードを取り消して追加熱キーを操作する前の火力に戻す取消キーを備えたことにより、使用者が設定した追加熱モードの継続時間が終了する前に追加熱の必要がなくなったと判断したときにいつでも元の火力に戻すことができ、調理物の様子を見ながらの調整が可能な加熱調理器を実現することができる。
【００１３】
第５の発明は、特に、第１〜第４のいずれか１つの発明において、制御部は、追加熱モード時に火力キーを操作すると、追加熱モードの火力を変更できるようにしたことにより、追加熱モードの火力が強すぎると使用者が判断したときに追火力モードを継続したままで火力を調整できる加熱調理器を実現することができる。
【００１４】
第６の発明は、特に、第５の発明において、制御部は、追加熱モードの終了時点での火力が追加熱モード開始直前の火力よりも低いときは追加熱モード終了後の火力を追加熱モードの終了時点の火力とするようにしたことにより、使用者が追加熱モード中に火力が強いと判断して火力を低下させたときに追加熱モード直前の火力よりも低く設定しても追加熱モードの終了時に急に火力が強くなることを防ぐ加熱調理器を実現することができる。
【００１５】
第７の発明は、特に、第５の発明において、制御部は、追加熱モード時の火力が追加熱モード開始直前の火力よりも低くなったときは追加熱モードを強制的に終了するようにしたことにより、使用者が追加熱モード中に火力が強いと判断して火力を低下させたときに追加熱モード直前の火力よりも低く設定したときは、既に追加熱モードの動作目的は終了していると考えて自動的に通常の加熱モードに戻ることができる加熱調理器を実現することができる。
【００１６】
第８の発明は、特に、第１〜第４のいずれか１つの発明において、制御部は、追加熱モード中に火力キーを操作したときは追加熱モードを強制的に終了するようにしたことにより、使用者が追加熱モード中に火力を変えたいと考えて火力調節を行ったときには既に追加熱モードの動作を期待せずに自由に火力を調節したいという意思であると判断して通常の加熱モードにて火力調整ができる加熱調理器を実現することができる。
【００１７】
第９の発明は、特に、第１〜第８のいずれか１つの発明において、鍋の温度を検知する温度検知手段を備え、制御部は、追加熱モード中に温度検知手段により検知した温度が所定の温度を超えたときは追加熱モードを強制的に終了するようにしたことにより、追加熱モードの高火力により鍋底の水分が減少した場合などに鍋の温度上昇を検知して焦げ付きを抑えることができる加熱調理器を実現することができる。
【００１８】
第１０の発明は、特に、第１〜第９のいずれか１つの発明において、制御部は、加熱モードの火力が所定の火力以上のときには追加熱キーを受け付けないようにしたことにより、既に高火力の状態から使用者がより高火力になることを期待して追加熱キーを操作して追加熱モードを受け付けても火力を上昇することができないことに対する不満が発生することを防ぐ加熱調理器を実現することができる。
【００１９】
以下、本発明の実施の形態について、図面を参照しながら説明する。なお、本実施の形態によって本発明が限定されるものではない。
【００２０】
（実施の形態１）
図１は本発明の実施の形態１における加熱調理器を示すものである。
【００２１】
図１に示すように、本実施の形態における加熱調理器は、調理物を入れる鍋１と、鍋１を載置した耐熱ガラスなどで構成したトッププレート２と、鍋１をトッププレート２越しに加熱するランプヒータ、電磁誘導加熱コイルなどの加熱手段３と、鍋１の底面の温度をトッププレート２越しに測定する温度センサーなどにより構成する温度検知手段４と、加熱手段３を制御するマイコンなどで構成する制御部５と、使用者が操作する操作部６とを備えている。操作部６は、使用者が操作し火力固定制御の加熱モードを開始する加熱キー７、切キー８、追加熱キー９、火力キー１０、取消キー１３などにより構成する。また、火力キー１０は、火力を強くするアップキー１１、火力を弱くするダウンキー１２により構成する。
【００２２】
そして、制御部５は、加熱モード時に追加熱キー９を操作すると所定時間だけ火力を高く変化させ、所定時間経過後は追加熱キー９を操作する前の火力に戻るように加熱手段を制御する追加熱モードに移行するようにしたものである。
【００２３】
以上のように構成された加熱調理器について、以下その動作、作用を説明する。
【００２４】
図２は本発明の実施の形態１における火力レベルの変化グラフを示すものであり、以下、図２を参照しながら説明する。
【００２５】
まず、調理物を入れた鍋１をトッププレート２の所定の位置に載置し、操作部６の加熱キー７により調理開始の指示をすると、図２（ａ）に示すように、固定火力制御を行う加熱モードとなり、制御部５は加熱手段３を最大火力設定である火力レベルが７となるように通電してトッププレート２越しに鍋１を加熱する。鍋１の温度が上昇して鍋１内の調理物を調理しながら使用者は時折調理物の状態を確認して、食べられる状態になったと判断するとダウンキー１２を操作し、火力を適度に低下させて過度の沸騰および煮詰まるのを防ぐ。
【００２６】
一般に鍋物を卓上で加熱しながら食するときには、最初の食材をある程度食べ終えると次の食材を鍋１に投入して再調理を行うが、本実施の形態１においては、新たな食材の投入後に使用者が追加熱キー９を操作する。制御部５は加熱モード中に図２（ａ）の時間ｔ０にて追加熱キー９の操作を受け付けると、加熱手段３の火力を最大火力レベルの７に変更し、追加熱キー９の操作を受け付けてから所定の時間である１分が経過した時間ｔ１になると追加熱キー９を受け付ける直前の火力であるレベル５に変更する追加熱モードの動作を行う。
【００２７】
この動作により、鍋物調理の具材や出汁の追加後に追加熱キーの操作により所定時間の間火力の上昇を使用者の判断により行うことができ、具材や出汁の追加による鍋内の温度低下を手軽に早く復帰でき、うっかり沸かしすぎや煮詰まりすぎることがないようにできる。
【００２８】
また、新たな食材の納入後に追加熱キー９を複数回操作すると追加熱動作の時間を初期値の１分から順に１分ずつ増やしていくようにしており、投入する具材や出汁の量に応じて使用者が追加熱モードの時間を調節することができる。例えば図２（ａ）の時間ｔ２において追加熱キー９を４回操作すると、初期値１分に追加の１分を３回足して４分間の追加熱モードを行い、時間ｔ２の４分後である時間ｔ３になると追加熱キー９を操作する直前の火力であるレベル５にて加熱モードに移行する。このとき、追加熱モードの設定時間および残り時間を液晶表示素子などにより構成する表示部に表示を行ってもよい。また、追加熱モードの追加時間は１分以外の時間でもよく、設定時間により追加時間を変えてもよい。
【００２９】
この動作により、鍋物調理中に追加する具材や出汁の量に応じて追加熱モードの動作時間を使用者の判断により調節することができ、追加量の大小により鍋内の温度が上がり足りずに追加熱モードを繰り返すという手間を省けるようにしている。
【００３０】
また、追加熱モードの動作中に追加熱キー９を１回操作すると追加熱モードの残り時間を１分追加するようにしており、１分に満たない端数の残り時間は繰り上げて計算する。例えば、図２（ｂ）の時間ｔ１１にて追加熱モードの残り時間が３０秒の時に追加熱キー９を１回操作すると残り時間は端数の３０秒を繰り上げたうえで１分の追加をして２分となる。なお、追加する時間は１分以外でもよいし、端数の時間は繰り上げではなく切捨てでもよい。
【００３１】
この動作により、追加熱モード動作中に簡単に時間の延長をすることができ、鍋内の状態を使用者が確認してもっと追加熱モードの時間を延長したいと考えたときに、簡単な操作にて適切に追加熱モードを継続でき、追加熱モードの途中に時間追加したときに最後の操作にて決定した残り時間となるので分かりやすい操作となる。
【００３２】
また、追加熱モード中に操作部６の取消キー１３を操作すると追加熱モードの途中であっても強制的に追加熱モード移行直前の火力にて加熱モードに移行するようにしており、追加熱モードの初期設定時間が長いと感じられる場合や追加熱キー９の複数回操作により追加熱モードの時間を延長したが予想していたよりも早く沸騰や煮詰まりが始まった場合などに簡単な操作で追加熱モードをやめて追加熱モード開始直前の火力に戻すことができるようにしている。
【００３３】
また、追加熱モード中に火力キー１０を操作すると、追加熱モードの火力を変化させることができるようにしており、追加熱モードが終了すると追加熱モード開始直前の火力にて加熱モードに移行する。但し、追加熱モードが終了する時点で追加熱モードの火力が追加熱モード開始直前の火力よりも低火力となっていた場合には追加熱モード終了時点の火力にて加熱モードに移行するようにしており、これにより、追加熱キー９を操作して追加熱モードで高火力の加熱を行ったものの、火力が強すぎて吹きこぼれてしまう恐れがあったり、ゆっくりと加熱したいときなどに追加熱モードの火力を使用者の希望の火力に調節できるようにしている。さらに、追加熱モード中に追加熱モード開始直前の火力よりも低い火力に低下させた場合、追加熱モードが終了したと誤解したり、追加熱モード中であることを忘れてしまったりしたときに追加熱モードが終了して急に火力が追加熱モード開始直前の火力に上昇してしまい、不用意に沸騰してしまったり、気づくと煮詰まりすぎたりしてしまう間違いを防ぐこともできる。
【００３４】
例えば、図２（ｂ）の時間ｔ１３で加熱モード中に追加熱キー９を３回操作して３分間の追加熱モードを開始しており、時間ｔ１４では火力キー１０のダウンキー１２を１回操作して追加熱モードの火力をレベル７からレベル６に低下させている。さらに、時間ｔ１３から３分経過する前の時間ｔ１５にて取消キー１３を操作して追加熱モードを終了し、追加熱モード開始直前の火力であるレベル５にて加熱モードに移行している。
【００３５】
また、追加熱モード中に火力キー１０を操作して追加熱モードの火力を低下させ、追加熱モード開始時点の火力よりも低い火力に設定しようとしたときには、追加熱モードを強制的に終了させて、加熱モードにて火力の設定を行っている状態に移行するようにすることもできる。例えば、図２（ｃ）の時間ｔ２１で追加熱モードの火力レベル７からダウンキー１２を操作してレベル６へ、さらに時間ｔ２２では再度ダウンキー１２を操作してレベル５へ火力を低下させている。さらに時間ｔ２３にて再度ダウンキー１２を操作して火力をレベル４へと低下させようとしているが、追加熱モード開始直前の火力レベル５よりも低い火力へと操作しようとしているため、時間ｔ２３の時点で追加熱モードの設定時間終了を待たずに追加熱モードを終了し、ダウンキー１２の操作により火力を低下させようとした火力レベル４にて加熱モードに移行している。
【００３６】
このような動作とすることで、追加熱モード中に使用者が追加熱モード開始直前の火力よりも低い火力に設定しようとしたことを受けて、使用者は意識の有無に関わらず追加熱動作を要求しておらず火力を低下させる意思があると判断し、追加熱モード中であっても加熱モードにシームレスに移行して加熱モードの火力調節を行っている状態とすることができ、使用者の意図に従った動作とすることができるようになる。
【００３７】
また、追加熱モード中に火力キー１０を操作したときには、その火力に関わらず強制的に追加熱モードを終了し加熱モードに移行するようにすることもできる。例えば、図２（ｄ）の時間ｔ３１にて追加熱モード中に火力キー１０のダウンキー１２を操作して火力を低下させようとしているが、この時点で追加熱モードを終了し、ダウンキー１２の操作により火力を低下させようとした火力レベル６にて加熱モードに移行している。
【００３８】
このような動作とすることで、追加熱モード中に使用者が火力キー１０を操作して火力を調節しようとしたことを受けて、使用者は意識の有無に関わらず追加熱動作の継続ではなく火力の手動調節を行いたいという意思があると判断し、追加熱モード中であっても加熱モードにシームレスに移行して加熱モードの火力調節を行っている状態とすることができ、使用者の意図に従った動作とすることができるようになる。
【００３９】
また、温度検知手段４にて検知したトッププレート２越しに測定した鍋１の温度が追加熱モード中に予め設定した温度を超えたときは、追加熱モードを強制的に終了して加熱モードに移行するようにしており、例えば追加熱モードにおける強い火力により鍋１の中の具材やとろみのある汁などが鍋底で焦げ付いたりした影響で鍋１の底の温度が上昇したときには火力を保温時の火力に戻して焦げ付きの進行を抑えるようにしている。
【００４０】
また、加熱モードの火力が最大火力のときには追加熱キーを受け付けないようにしており、既に高火力の状態から使用者がより高火力になることを期待して追加熱キーを操作して追加熱モードを受け付けても火力を上昇することができないことに対する不満の発生を防いでいる。
【００４１】
以上のように、本実施の形態１においては、加熱モード時に追加熱キーを操作すると所定時間だけ火力を高く変化させ、所定時間経過後は追加熱キーを操作する前の火力に戻るように加熱手段を制御する追加熱モードに移行するようにしたことにより、追加熱キーの操作により、鍋物調理の具材や出汁の追加後に所定時間の間火力の上昇を使用者の判断により行うことができる。
【００４２】
また、加熱モード時に追加熱キーを複数回操作すると追加熱モードの継続時間を増加させるようにしたことにより、鍋物調理の具材や出汁の追加タイミングにて火力を上昇させる継続時間を使用者の判断により決定できる。
【００４３】
また、追加熱モード時に追加熱キーを操作すると最後に追加熱キーを操作した時点を基点として追加熱モードの継続時間を増加させるようにしたことにより、使用者が設定した追加熱モードの継続時間が足りないと判断したときにその時点からの継続時間の再設定ができ、調理物の様子を見ながらの時間調整ができる。
【００４４】
また、追加熱モードを取り消して追加熱キーを操作する前の火力に戻す取消キーを備えたことにより、使用者が設定した追加熱モードの継続時間が終了する前に追加熱の必要がなくなったと判断したときにいつでも元の火力に戻すことができる。
【００４５】
また、追加熱モード時に火力キーを操作すると、追加熱モードの火力を変更できるようにしたことにより、追加熱モードの火力が強すぎると使用者が判断したときに追火力モードを継続したままで火力を調整できる。
【００４６】
また、追加熱モードの終了時点での火力が追加熱モード開始直前の火力よりも低いときは追加熱モード終了後の火力を追加熱モードの終了時点の火力とするようにしたことにより、使用者が追加熱モード中に火力が強いと判断して火力を低下させたときに追加熱モード直前の火力よりも低く設定しても追加熱モードの終了時に急に火力が強くなることを防ぐことができる。
【００４７】
また、追加熱モード時の火力が追加熱モード開始直前の火力よりも低くなったときは追加熱モードを強制的に終了するようにしたことにより、使用者が追加熱モード中に火力が強いと判断して火力を低下させたときに追加熱モード直前の火力よりも低く設定したときは、既に追加熱モードの動作目的は終了していると考えて自動的に通常の加熱モードに戻ることができる。
【００４８】
また、追加熱モード中に火力キーを操作したときは追加熱モードを強制的に終了するようにしたことにより、使用者が追加熱モード中に火力を変えたいと考えて火力調節を行ったときには既に追加熱モードの動作を期待せずに自由に火力を調節したいという意思であると判断して通常の加熱モードにて火力調整ができる。
【００４９】
また、追加熱モード中に温度検知手段により検知した鍋１の温度が所定の温度を超えたときは追加熱モードを強制的に終了するようにしたことにより、追加熱モードの高火力により鍋底の水分が減少した場合などに鍋の温度上昇を検知して焦げ付きを抑えることができる。
【００５０】
また、加熱モードの火力が所定の火力以上のときには追加熱キーを受け付けないようにしたことにより、既に高火力の状態から使用者がより高火力になることを期待して追加熱キーを操作して追加熱モードを受け付けても火力を上昇することができないことに対する不満が発生することを防ぐことができる。
【００５１】
なお、本実施の形態１において、加熱手段３は電磁誘導加熱のようなトッププレート２越しに加熱できる構成としていたが、電熱ヒータやガス火などトッププレート２を使用しないで直接鍋１を加熱するような熱源を用いても同様の効果が得られる。
【００５２】
また、本実施の形態１の入力手段として各種のキーを用いているが、これは使用者の意図を制御部５に伝える用を成す入力手段であれば何でも良い。
【産業上の利用可能性】
【００５３】
以上のように、本発明にかかる加熱調理器は、鍋物調理の負荷投入時に使用者の指示により所定時間の間火力を上昇することができるので、熱源の如何にかかわらず各種調理器として適用できる。
【図面の簡単な説明】
【００５４】
【図１】本発明の実施の形態１における加熱調理器のブロック図
【図２】本発明の実施の形態１における火力レベルの変化グラフ
【図３】従来の加熱調理器のブロック図
【符号の説明】
【００５５】
１  鍋
３  加熱手段
４  温度検知手段
５  制御部
７  加熱キー
９  追加熱キー
【図１】
2008140676.tif 000003
【図２】
2008140676.tif 000004
【図３】
2008140676.tif 000005